(57)【特許請求の範囲】
【請求項１】
走査電極と維持電極とで構成される表示電極を備えた前面板と、前記表示電極に交差するように配置されたデータ電極を備え且つ隔壁を備えた背面板とを、間に放電空間が形成されるように対向配置したプラズマディスプレイパネルであって、
前記隔壁は隣り合う前記データ電極の間に配置された縦方向の隔壁を有し、前記縦方向の隔壁の頂部が凹みを有することにより前記隔壁と前記前面板との間には隙間が存在し、前記走査電極を含む近傍に対する箇所での隙間が前記維持電極を含む近傍に対する箇所での隙間に比べ狭くなっていることを特徴とするプラズマディスプレイパネル。
【請求項２】
前記隔壁は前記縦方向の隔壁と横方向の隔壁とを有し、前記走査電極よりも前記維持電極の方が前記横方向の隔壁に近くなるように、前記前面板と前記背面板とを対向配置したことを特徴とする請求項１に記載のプラズマディスプレイパネル。
【発明の詳細な説明】
【技術分野】
【０００１】
本発明は表示デバイスとして知られているプラズマディスプレイパネルに関するものである。
【背景技術】
【０００２】
プラズマディスプレイパネルは、大別して、駆動的にはＡＣ型とＤＣ型があり、放電形式では面放電型と対向放電型の２種類があるが、高精細化、大画面化および製造の簡便性から、現状では、ＡＣ型で面放電型のものが主流である。
【０００３】
このＡＣ型で面放電型のプラズマディスプレイパネルの構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイパネルは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示デバイスとしてや家庭で大画面の映像を楽しむための表示デバイスとして各種の用途に使用されている。
【０００５】
そして上述のようなプラズマディスプレイパネルをアルミニウムなどの金属製のシャーシ部材の前面側に保持させ、そのシャーシ部材の背面側にパネルを発光させるための駆動回路を構成する回路基板を配置することによりモジュールを構成している（特許文献１参照）。
【特許文献１】特開２００３−１３１５８０号公報
【発明の開示】
【発明が解決しようとする課題】
【０００６】
上述した構造のＰＤＰにおいては、隔壁による放電空間の仕切りが良好になされていないことに起因するものと考えられる、隣接する放電セル間でのクロストークが発生し、表示する画像に悪影響が生じてしまうという課題が発生する場合があった。
【０００７】
本発明はこのような現状に鑑みなされたものであり、クロストークの発生が抑制された、高品質な画像の表示が可能なプラズマディスプレイパネルを実現することを目的とする。
【課題を解決するための手段】
【０００８】
上記目的を実現するために、本発明のプラズマディスプレイパネルは、走査電極と維持電極とで構成される表示電極を備えた前面板と、前記表示電極に交差するように配置されたデータ電極を備え且つ隔壁を備えた背面板とを、間に放電空間が形成されるように対向配置したプラズマディスプレイパネルであって、前記隔壁は隣り合う前記データ電極の間に配置された縦方向の隔壁を有し、前記縦方向の隔壁の頂部が凹みを有することにより前記隔壁と前記前面板との間には隙間が存在し、前記走査電極を含む近傍に対する箇所での隙間が前記維持電極を含む近傍に対する箇所での隙間に比べ狭くなっていることを特徴とするものである。
【発明の効果】
【０００９】
本発明によれば、クロストークの発生が抑制された、高品質な画像の表示が可能なＰＤＰを実現することが可能である。
【発明を実施するための最良の形態】
【００１０】
すなわち、本発明の請求項１に記載の発明は、走査電極と維持電極とで構成される表示電極を備えた前面板と、前記表示電極に交差するように配置されたデータ電極を備え且つ隔壁を備えた背面板とを、間に放電空間が形成されるように対向配置したプラズマディスプレイパネルであって、前記隔壁は隣り合う前記データ電極の間に配置された縦方向の隔壁を有し、前記縦方向の隔壁の頂部が凹みを有することにより前記隔壁と前記前面板との間には隙間が存在し、前記走査電極を含む近傍に対する箇所での隙間が前記維持電極を含む近傍に対する箇所での隙間に比べ狭くなっていることを特徴とするプラズマディスプレイパネルである。
【００１１】
以下、本発明の一実施の形態によるプラズマディスプレイパネルについて、図面を用いて説明するが、本発明の実施の態様はこれに限定されるものではない。
【００１２】
図１は本発明の一実施の形態によるプラズマディスプレイパネルの概略構成を示す斜視断面図である。図１に示すようにプラズマディスプレイパネルは、前面板１と背面板２とをその間に放電空間を形成するように対向配置することにより構成されている。前面板１は、例えばガラス製の前面基板３と、前面基板３上に形成した走査電極４と維持電極５とが互いに平行に対をなすことで構成される表示電極６と、この表示電極を覆う誘電体層７と、この誘電体層７上に形成した保護層８を備える。
【００１３】
また、背面板２は、背面基板９と、背面基板９上に形成したデータ電極１０と、このデータ電極を覆う絶縁体層１１と、この絶縁体層１１上に設けた、縦方向の隔壁１２ａと横方向の隔壁１２ｂとで構成される井桁状の隔壁１２と、絶縁体層１１の表面および隔壁１２の側面に設けた蛍光体層１３を備える。
【００１４】
そして、表示電極６とデータ電極１０とが交差するように前面板１と背面板２とを対向配置しており、その間に形成される放電空間には、放電ガスとして、例えばネオンとキセノンの混合ガスが放電ガスとして封入されて、プラズマディスプレイパネル１４が構成されている。なお、上述したプラズマディスプレイパネルの構造は１例でありこれに限られるわけではなく、例えばストライプ状の隔壁を備えたものであってもよい。
【００１５】
図２はこのプラズマディスプレイパネルの電極配列図である。行方向にｎ本の走査電極ＳＣ１〜ＳＣｎ（図１の走査電極４）およびｎ本の維持電極ＳＵ１〜ＳＵｎ（図１の維持電極５）が配列され、列方向にｍ本のデータ電極Ｄ１〜Ｄｍ（図１のデータ電極１０）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１６】
図３はこのプラズマディスプレイパネル１４により画像表示するプラズマディスプレイ装置の概略構成を示す回路ブロック図である。プラズマディスプレイ装置は、プラズマディスプレイパネル１４、画像信号処理回路１５、データ電極駆動回路１６、走査電極駆動回路１７、維持電極駆動回路１８、タイミング発生回路１９および電源回路（図示せず）を備えている。
【００１７】
画像信号処理回路１５は、画像信号ｓｉｇをサブフィールド毎の画像データに変換する。データ電極駆動回路１６はサブフィールド毎の画像データを各データ電極Ｄ１〜Ｄｍに対応する信号に変換し、各データ電極Ｄ１〜Ｄｍを駆動する。タイミング発生回路１９は水平同期信号Ｈおよび垂直同期信号Ｖをもとにして各種のタイミング信号を発生し、各駆動回路ブロックに供給している。走査電極駆動回路１７はタイミング信号にもとづいて走査電極ＳＣ１〜ＳＣｎに駆動電圧波形を供給し、維持電極駆動回路１８はタイミング信号にもとづいて維持電極ＳＵ１〜ＳＵｎに駆動電圧波形を供給する。ここで、前記走査電極駆動回路１７および維持電極駆動回路１８は、維持パルス発生部２０を備えている。
【００１８】
次に、プラズマディスプレイパネルを駆動するための駆動電圧波形とその動作について図４を用いて説明する。図４は各電極に印加する駆動電圧波形を示す図であり、１フィールドを複数のサブフィールドに分割し、それぞれのサブフィールドは初期化期間、書込み期間、維持期間を有している。
【００１９】
第１サブフィールドの初期化期間では、データ電極Ｄ１〜Ｄｍおよび維持電極ＳＵ１〜ＳＵｎを０（Ｖ）に保持し、走査電極ＳＣ１〜ＳＣｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極ＳＣ１〜ＳＣｎ上に負の壁電圧が蓄えられるとともに維持電極ＳＵ１〜ＳＵｎ上およびデータ電極Ｄ１〜Ｄｍ上に正の壁電圧が蓄えられる。ここで、電極上の壁電圧とは電極を覆う誘電体層や蛍光体層上等に蓄積した壁電荷により生じる電圧を指す。
【００２０】
その後、維持電極ＳＵ１〜ＳＵｎを正の電圧Ｖｈ（Ｖ）に保ち、走査電極ＳＣ１〜ＳＣｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極ＳＣ１〜ＳＣｎ上と維持電極ＳＵ１〜ＳＵｎ上との間の壁電圧が弱められ、データ電極Ｄ１〜Ｄｍ上の壁電圧も書込み動作に適した値に調整される。
【００２１】
続く書込み期間では、走査電極ＳＣ１〜ＳＣｎを一旦Ｖｒ（Ｖ）に保持する。次に、１行目の走査電極ＳＣ１に負の走査パルス電圧Ｖａ（Ｖ）を印加するとともに、データ電極Ｄ１〜Ｄｍのうち１行目に表示すべき放電セルのデータ電極Ｄｋ（ｋ＝１〜ｍ）に正の書込みパルス電圧Ｖｄ（Ｖ）を印加する。このときデータ電極Ｄｋと走査電極ＳＣ１との交差部の電圧は、外部印加電圧（Ｖｄ−Ｖａ）（Ｖ）にデータ電極Ｄｋ上の壁電圧と走査電極ＳＣ１上の壁電圧とが加算されたものとなり、放電開始電圧を超える。そして、データ電極Ｄｋと走査電極ＳＣ１との間および維持電極ＳＵ１と走査電極ＳＣ１との間に書込み放電が起こり、この放電セルの走査電極ＳＣ１上に正の壁電圧が蓄積され、維持電極ＳＵ１上に負の壁電圧が蓄積され、データ電極Ｄｋ上にも負の壁電圧が蓄積される。
【００２２】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００２３】
続く維持期間では、走査電極ＳＣ１〜ＳＣｎには第１の電圧として正の維持パルス電圧Ｖｓ（Ｖ）を、維持電極ＳＵ１〜ＳＵｎには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓ（Ｖ）に走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｋ上にも正の壁電圧が蓄積される。
【００２４】
書込み期間において書込み放電が起きなかった放電セルでは、維持放電は発生せず、初期化期間の終了時における壁電圧が保持される。続いて、走査電極ＳＣ１〜ＳＣｎには第２の電圧である０（Ｖ）を、維持電極ＳＵ１〜ＳＵｎには第１の電圧である維持パルス電圧Ｖｓ（Ｖ）をそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２５】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。こうして維持期間における維持動作が終了する。
【００２６】
続くサブフィールドにおける初期化期間、書込み期間、維持期間の動作も第１サブフィールドにおける動作とほぼ同様のため、説明を省略する。
【００２７】
図５は、本発明の一実施の形態によるプラズマディスプレイパネルを組み込んだプラズマディスプレイ装置の全体構成の一例を示すものであり、図６は、背面側から見た駆動回路ブロックの配置の一例を示すものである。
【００２８】
図において、２１はアルミニウムなどの金属製の放熱板を兼ねた保持板としてのシャーシ部材で、このシャーシ部材２１の前面側には、プラズマディスプレイパネル１４がシャーシ部材２１との間に放熱シート（図５には図示せず）を介在させて接着材などにより接着することにより、保持されている。また、シャーシ部材２１の背面側には、図６に示すように、プラズマディスプレイパネル１４を表示駆動させるための複数の駆動回路ブロックが配置され、これによりモジュールが構成されている。
【００２９】
ここで、前記放熱シートは、プラズマディスプレイパネル１４をシャーシ部材２１の前面側に接着して保持し、プラズマディスプレイパネル１４で発生した熱をシャーシ部材２１に効率よく伝え、放熱を行うためのものであり、厚さは１ｍｍ〜２ｍｍ程度である。この放熱シートとしては、アクリルやウレタン、シリコン樹脂やゴムなどの合成樹脂材料に熱伝導性を高めるフィラーを含有させた絶縁性の放熱シートや、グラファイトシート、金属シートなどを用いることができる。また、放熱シート自体に接着力を持たせ、プラズマディスプレイパネル１４をシャーシ部材２１に放熱シートのみで接着して保持する構成や、放熱シートには接着力がなく、別の両面接着テープを用いてプラズマディスプレイパネル１４をシャーシ部材２１に接着する構成などを用いることができる。
【００３０】
また、プラズマディスプレイパネル１４の両側縁部には、走査電極４および維持電極５の電極引出部に接続された表示電極用配線部材としてのフレキシブル配線板２２が設けられ、シャーシ部材２１の外周部を通して背面側に引き回され、走査電極駆動回路１７の駆動回路ブロック２３および維持電極駆動回路１８の駆動回路ブロック２４にコネクタを介して接続されている。
【００３１】
一方、プラズマディスプレイパネル１４の下部および上部縁部には、データ電極１０の電極引出部に接続されたデータ電極用配線部材としての複数のフレキシブル配線板２５が設けられ、そしてそのフレキシブル配線板２５は、データ電極駆動回路１６の複数のデータドライバ２６それぞれに電気的に接続されるとともに、シャーシ部材２１の外周部を通して背面側に引き回され、前記シャーシ部材２１の背面側の下部および上部位置に配置されたデータ電極駆動回路１６の駆動回路ブロック２７に電気的に接続されている。
【００３２】
制御回路ブロック２８は、テレビジョンチューナ等の外部機器に接続するための接続ケーブルが着脱可能に接続される入力端子部を備えた入力信号回路ブロック２９から送られる映像信号に基づき、画像データをパネル１４の画素数に応じた画像データ信号に変換してデータ電極駆動回路の駆動回路ブロック２７に供給すると共に、放電制御タイミング信号を発生し、各々走査電極駆動回路１７の駆動回路ブロック２３および維持電極駆動回路１８の駆動回路ブロック２４に供給し、階調制御等の表示駆動制御を行うもので、シャーシ部材２１のほぼ中央部に配置されている。
【００３３】
電源ブロック３０は、前記各回路ブロックに電圧を供給するもので、前記制御回路ブロック２８と同様、シャーシ部材２１のほぼ中央部に配置され、電源ケーブル（図示せず）が装着されるコネクタを通して商用電源電圧が供給される。これらの駆動回路ブロック２３、２４、２７や制御回路ブロック２８や入力信号回路ブロック２９や電源ブロック３０は、前記シャーシ部材２１の背面側に設けられたボス部にビスなどにより固定されている。
【００３４】
また、前記駆動回路ブロック２３、２４の近傍には、冷却ファン３１がアングル３２に保持されて配置されており、この冷却ファン３１から送られる風により駆動回路ブロック２３、２４が冷却されるように構成されている。さらに、シャーシ部材２１の上部位置には、上部位置に配置したデータ電極駆動回路１６の駆動回路ブロック２７を冷却するとともに、シャーシ部材２１の背面側において、装置全体の内部に下部から上部に向かって空気流を起こすことにより、装置内部を冷却する３個の冷却ファン３３が配置されている。
【００３５】
さらに、前記シャーシ部材２１には、補強用のアングル３４、３５が水平方向および垂直方向に配置して固定され、水平方向に配置したアングル３４には、装置を立てた状態で保持するためのスタンドポール３６がビスなどにより固定されている。
【００３６】
以上のような構造のモジュールは、前記プラズマディスプレイパネル１４の前面側に配置される前面保護カバー３７と、前記シャーシ部材２１の背面側に配置される金属製のバックカバー３８とを有する筐体内に収容され、これによりプラズマディスプレイ装置が完成する。ここで、前記前面保護カバー３７は、プラズマディスプレイパネル１４の前面側の画像表示領域が表出する開口部３９ａを有する樹脂や金属からなる前面枠３９と、この前面枠３９の開口部３９ａに取付けられかつ光学フィルターや電磁波の不要輻射を抑制するための不要輻射抑制膜が設けられたガラスなどからなる保護板４０とを備えた構成であり、前記保護板４０は、保護板４０の周辺部を前面枠３９の開口部３９ａの周縁部と保護板押え金具（図示せず）とで挟むことにより、前面枠３９に取り付けられている。さらに、前記バックカバー３８には、モジュールで発生した熱を外部に放出するための複数の通気孔（図示せず）が設けられている。
【００３７】
なお、図５において、４１はバックカバー３８をシャーシ部材２１に取付けるためのビス、４２はバックカバー３８にビスなどで取付けた把持部である。
【００３８】
次に、本実施の形態によるプラズマディスプレイパネルの特徴部分について、詳細に説明する。
【００３９】
図７は、本発明の一実施の形態によるプラズマディスプレイパネルの概略構成を示す断面図であり、図１におけるＡ−Ａ矢視断面図である。プラズマディスプレイパネル１４は前面板１および背面板２とを備えている。前面板１は、例えばフロート法による硼珪素ナトリウム系ガラスなどの前面基板３上に、走査電極４と維持電極５とで対をなすストライプ状の複数の表示電極６対を形成している。また、隣接する表示電極６対の間には、光遮蔽部となるブラックストライプ７１を形成している。また走査電極４と維持電極５とブラックストライプ７１とを覆って誘電体層７を設け、さらに誘電体層７を覆って酸化マグネシウム（ＭｇＯ）からなる保護層８を形成している。
【００４０】
なお、走査電極４および維持電極５は、それぞれ透明電極４ａ、５ａ、およびこの透明電極４ａ、５ａに電気的に接続したＣｒ／Ｃｕ／ＣｒまたはＡｇなどからなるバス電極４ｂ、５ｂとから構成している。そしてバス電極４ｂ、５ｂは、ブラックストライプ７１と同様に光を遮蔽する機能も有している。
【００４１】
また、背面板２は、例えばガラスである背面基板９には、表示電極６対と交差する方向に形成したデータ電極１０と、このデータ電極１０を覆って絶縁体層１１を設けている。なお、図７においては蛍光体層は図示していないが、絶縁体層１１の表面および隔壁１２の側面に蛍光体層を設けている。
【００４２】
ここで、本発明の一実施の形態によるプラズマディスプレイパネルにおいては、前面板１と背面板２とを対向配置させた際に接触し合う、前面板１に設けた構成物である保護層８と、背面板２に設けられた構成物である縦方向の隔壁１２ａとの間の隙間に関して、走査電極４を含む近傍に対する箇所での隙間の方が、維持電極５を含む近傍に対する箇所での隙間に比べ、狭くなっているという構造となっている。なお、「狭くなっている」という構造には、接触して隙間がなくなっている状態も含まれるものである。
【００４３】
ここで、プラズマディスプレイパネルにおいては、左右横方向に隣接する放電セルとのクロストークの制御が高画質化に非常に重要である。すなわち、左右横方向に隣り合う放電セルとは、赤（Ｒ）、緑（Ｇ）、青（Ｂ）の異なる色に発光する放電セルのこととなるが、例えばこのうち、あるＳＦではＲとＢのみが点灯し、Ｇが点灯していないような場合には、前記点灯したＲとＢからのクロストーク（電荷又は電子又は不純物などの移動）により、Ｇのセルに蓄えていた電荷が変化してしまい、次のＧが点灯するときにその点灯状態が所望の状態とは異なったものとなってしまうという課題が生じることがある。このような課題は、プラズマディスプレイパネルの放電ガスを高Ｘｅとする場合等でさらに顕著となる。
【００４４】
ここで、従来においては、背面基板側の隔壁の頂部面と前面基板側の保護層面とを、できる限り平らに形成することで、両者をしっかりと接触させ放電空間を精度良く仕切ることにより、隣接する放電セル間でのクロストークを抑制しようとしていた。
【００４５】
しかし、上述のような従来の構成においては、図８に示すように例えば異物７２を間に挟みこんでしまった場合には、隔壁１２ａの頂部面と、この隔壁１２ａの頂部と接する保護層８との間には隙間７３が生じてしまい、その結果、クロストークが発生してしまうという問題が生じた。
【００４６】
これに対し、本発明は、本発明者によって行われたクロストーク発生に関する検討により得られた以下の知見に基づくものである。すなわち、上述したクロストークの問題は、走査電極を含む近傍に対する箇所において隙間が発生した場合に顕著となるということであり、逆に言えば、維持電極を含む近傍に対応する箇所で隙間が存在したとしても、それがクロストーク発生に及ぼす影響は非常に小さいということである。この理由としては、走査電極４とデータ電極１０との間で放電（アドレス放電）が発生するアドレス期間にクロストーク発生因子が最も影響を与えるということが考えられる。
【００４７】
そこで本発明の一実施の形態によるプラズマディスプレイパネルにおいては、走査電極４を含む近傍での、保護層８と縦方向の隔壁１２ａとの間の隙間が、維持電極５を含む近傍での隙間に比べ、狭くなっている、もしくは接触しているという構造としており、このことにより、左右横方向に隣接する放電セル間でのクロストークに影響を与える走査電極４を含む近傍での隙間を狭くすることができ、クロストークを抑制することが可能となる。
【００４８】
さらにこのような構造とすることにより、隔壁１２ａの頂部面と、この隔壁１２ａの頂部と接する前面板１側の保護層８との間に異物を挟み込んでしまった場合にも、走査電極４を含む近傍に対する箇所で異物を挟み込まない限りは、走査電極４を含む近傍に対する箇所に生じる隙間は図８に示した従来の構成の場合に比べ小さくなるため、従来の構成で異物を挟み込んでしまう場合に比べ、クロストークに影響を与える程度の隙間が発生する確率を小さくすることができる。
【００４９】
さらには、維持電極を含む近傍に対する箇所に形成される隙間を通じて放電セル間は繋がることとなるので、プラズマディスプレイパネルを製造する際の、放電セル内を一旦排気し、その後、放電ガスを封入するという工程もスムーズ且つ容易に行うことが可能である。
【００５０】
ここで、以上においては、走査電極４を含む近傍に対する箇所と表現しているように、走査電極４から少しずれた部分の隙間が最も狭くても良い。
【００５１】
また、以上の説明においては隔壁１２は縦方向の隔壁１２ａと横方向の隔壁１２ｂとで高さの異なる井桁状の隔壁１２を例に示したが、特にこれに限るものではなく、縦方向と横方向とで高さの等しい井桁状の隔壁であっても、また、縦方向のみのストライプ状の隔壁であっても、左右横方向に隣接する放電セルを仕切る隔壁を、上述したような、走査電極４を含む近傍に対する箇所での、保護層８と縦方向の隔壁１２ａとの間の距離が、維持電極５を含む近傍に対する箇所での距離に比べ、狭くなっている、もしくは接触している、という構造とすることにより同様の効果を得ることが可能である。
【００５２】
なお、走査電極４を含む近傍に対する箇所での、保護層８と縦方向の隔壁１２ａとの間の距離が、維持電極５を含む近傍に対する箇所での距離に比べ、狭くなっている、もしくは接触しているという構造は、例えば以下のようにして得られる。
【００５３】
まず隔壁が井桁構造の場合には、隔壁形成時に、隔壁の前駆体材料を塗布した後、焼成して隔壁とする際に、縦方向の隔壁１２ａと横方向の隔壁１２ｂとの２方向の隔壁が交差する部分と１方向の隔壁の部分とで、収縮の違い、すなわち、横方向の隔壁１２ｂと縦方向の隔壁１２ａとの交差部においては２方向からの収縮となり、縦方向の隔壁１２ａでは１方向のみからの収縮となることから、交差部での収縮の方が大きくなり、井桁状の隔壁１２においては交差部で凹むこととなる。なお、このような収縮の差を確実に得るために、例えば、縦方向の隔壁１２ａより横方向の隔壁１２ｂを厚く（太く）形成することで、縦方向の隔壁１２ａが、横方向の隔壁１２ｂの収縮に、より確実に引っ張られるようにすることも有効である。
【００５４】
そしてこのような形状の隔壁１２に対して、図７に示すように、走査電極４よりも維持電極５の方が横方向の隔壁１２ｂに近くなるように前面板１を対向配置する。このことにより、上述したような、走査電極４を含む近傍に対する箇所での隙間が維持電極５を含む近傍に対する箇所での隙間に比べ狭くなっているという構造を得ることができる。
【００５５】
また、図９に示すように、縦方向の隔壁１２ａと横方向の隔壁１２ｂとの高さが等しい場合にも同様に構成することが可能であり、したがって同様の効果を得ることができる。
【００５６】
また、隔壁１２がストライプ状の場合には、隔壁１２の高さ方向の収縮が隔壁１２の幅に依存することを利用して、隔壁１２の頂部幅および／または底部幅を走査電極４を含む近傍に対する箇所では厚くし、維持電極５を含む近傍に対する箇所では細くすることにより、隔壁１２の、走査電極４を含む近傍に対する箇所での隙間が、維持電極５を含む近傍に対する箇所での隙間より狭くなっている、もしくは接触しているという構造を同様に得ることが可能である。
【産業上の利用可能性】
【００５７】
以上のように本発明は、大画面、高精細のプラズマディスプレイパネルを提供する上で有用な発明である。
【図面の簡単な説明】
【００５８】
【図１】本発明の一実施の形態によるプラズマディスプレイパネルの概略構成を示す斜視断面図
【図２】同プラズマディスプレイパネルの電極配列図
【図３】同プラズマディスプレイパネルにより画像表示するプラズマディスプレイ装置の概略構成を示す回路ブロック図
【図４】同プラズマディスプレイパネルの各電極に印加する駆動電圧波形を示す波形図
【図５】同プラズマディスプレイパネルを組み込んだプラズマディスプレイ装置の全体構成の一例を示す分解斜視図
【図６】同プラズマディスプレイパネルを組み込んだプラズマディスプレイ装置を背面側から見た駆動回路ブロックの配置の一例を示す平面図
【図７】本発明の一実施の形態によるプラズマディスプレイパネルの概略構成を示す断面図
【図８】従来のプラズマディスプレイパネルの１例の概略構成を示す断面図
【図９】本発明の他の実施の形態によるプラズマディスプレイパネルの概略構成を示す断面図
【符号の説明】
【００５９】
１  前面板
２  背面板
３  前面基板
４  走査電極
４ａ  透明電極
４ｂ  バス電極
５  維持電極
５ａ  透明電極
５ｂ  バス電極
６  表示電極
７  誘電体層
８  保護層
９  背面基板
１０  データ電極
１１  絶縁体層
１２  隔壁
１２ａ  縦方向の隔壁
１２ｂ  横方向の隔壁
１３  蛍光体層
１４  プラズマディスプレイパネル
２１  シャーシ部材
２２、２５  フレキシブル配線板
２３、２４、２７  駆動回路ブロック
２６  データドライバ
７１  ブラックストライプ
７２  異物
【図１】
0004807084.tif 000002
【図２】
0004807084.tif 000003
【図３】
0004807084.tif 000004
【図４】
0004807084.tif 000005
【図５】
0004807084.tif 000006
【図６】
0004807084.tif 000007
【図７】
0004807084.tif 000008
【図８】
0004807084.tif 000009
【図９】
0004807084.tif 000010